(57)【特許請求の範囲】
【請求項１】
軒先等に固定される取付杆と、雨樋を支持する樋掛止部を設けた樋支持具本体と、弾性付勢したロックバネとを連結して成り、上記ロックバネの弾性力によって上記樋支持具本体を取付杆に圧接して固定し、上記樋支持具本体のスライドを規制する雨樋支持具において、
上記樋支持具本体には長孔を形成しており、この長孔に常に嵌入する程度に膨出し、この長孔と摺接するように楕円状に形成された隆起ガイドを上記ロックバネに設けており、
上記ロックバネの基板の適所には、上記隆起ガイドと同方向に突出した鋸刃状の係止部が形成してある一方、上記樋支持具本体の下面には、該係止部と係脱自在な鋸刃状の凹凸部が形成してあることを特徴とする雨樋支持具。
【請求項２】
請求項１において、
上記ロックバネは、上記隆起ガイドを設けた基板の両側又は片側に、この基板を湾曲させて弾性付勢する摘み片を形成している雨樋支持具。
【発明の詳細な説明】
【０００１】
【発明の属する技術分野】
本発明は、軒先等に取付ける雨樋支持具に関し、詳しくは、軒先等に固定される取付杆と樋支持具本体とをスライド自在に連結し、両者を弾性付勢したロックバネで圧接して固定し、上記樋支持具本体のスライドを規制する雨樋支持具に関する。
【０００２】
【従来の技術】
図６は、従来の雨樋支持具を示す分解斜視図である。
【０００３】
この雨樋支持具１００は、軒先等に固定される取付杆１０１と、雨樋Ｔを支持する樋掛止部１２２を設けた樋支持具本体１０２と、弾性付勢したロックバネ１０３とを連結して成る。
【０００４】
取付杆１０１は、軒先等に固定される取付部１１１から前方に向けて足杆１２１を延設し、その足杆１２１の前方には、段落ち形成した連結片部１３１を形成しており、この連結片部１３１には、貫通孔１４１を形成している。
【０００５】
樋支持具本体１０２は、基材１１２の前、後に樋掛止部１２２、１２２を形成し、その基材１１２の中央には、取付杆１０１の貫通孔１４１と重合する長孔１３２を形成している。
【０００６】
また、基材１１２の下面には、長手方向に向けて連続する凹凸部１４２を形成している。
【０００７】
ロックバネ１０３は、バネ板を図のように折り曲げて形成され、基板１１３の両側を各々一旦上方に突出させて係止部１３３、１３３を形成したうえ、これを下方に折り曲げて摘み片１２３、１２３を延設している。
【０００８】
また、基板１１３の中央には、樋支持具本体１０２の長孔１３２に重合する軸孔１４３を形成している。
【０００９】
これら取付杆１０１、樋支持具本体１０２、ロックバネ１０３は、各々の貫通孔１４１、長孔１３２、軸孔１４３を重合させ、上方からリベット等の連結軸１０４を貫通したうえで、その下方にバネワッシャ１０５を嵌挿すると共に、連結軸１０４の下端をカシメ止めして連結されている。
【００１０】
このような雨樋支持具１００を施工するには、軒先等の適所に取付杆１０１の取付部１１１をネジ、釘等で固定する。
【００１１】
そして、ロックバネ１０３の摘み片１２３、１２３を摘んで内側に押圧すれば、その基板１１３が上方に湾曲すると共に、この係止部１３３、１３３が樋支持具本体１０２の凹凸部１３２から離脱し、樋支持具本体１０２を前、後にスライド可能にできる。
【００１２】
そして、この樋支持具本体１０２を所望の位置にスライドさせた後、ロックバネ１０３の摘み片１２３、１２３を離せば、その弾性力によって基板１１３が復元すると共に、この係止部１３３、１３３が樋支持具本体１０２の凹凸部１４２に係止して、樋支持具本体１０２のスライドを規制できる。
【００１３】
このように位置決め固定した樋支持具本体１０２の樋掛止部１２２、１２２に雨樋Ｔを掛止するのである。
【００１４】
なお、雨樋Ｔ、取付杆１０１、樋支持具本体１０２の形状には、図例の他にも種々のものがあり、これに限定するものではない。
【００１５】
【発明が解決しようとする課題】
このロックバネ１０３は、その摘み片１２３、１２３を摘んで内側に押圧すれば、その係止部１３３、１３３が樋支持具本体１０２の凹凸部１４２から離脱して、樋支持具本体１０２を前、後にスライド可能にできる。
【００１６】
しかし、このときのロックバネ１０３は、樋支持具本体１０２と完全に離脱してしまうため、樋支持具本体１０２を前、後にスライド調節するに際して、その長孔１３２と連結軸１０４とが噛合ってスムーズにスライドできないという問題があった。
【００１７】
また、ロックバネ１０３は連結軸１０４と連結されているものの、このロックバネ１０３は連結軸１０４を中心にして回転する恐れがあり、そのため、ロックバネ１０３の係止部１３３、１３３が樋支持具本体１０２の凹凸部１４２に上手く係止できないという問題もあった。
【００１８】
本発明は、かかる課題を解決することを目的とするもので、樋支持具本体の前、後のスライドをスムーズに行うことができ、且つ、ロックバネの回転を防止できる雨樋支持具を提供する。
【００１９】
【課題を解決するための手段】
上記目的を達成するため、
請求項１に係る雨樋支持具は、軒先等に固定される取付杆と、雨樋を支持する樋掛止部を設けた樋支持具本体と、弾性付勢したロックバネとを連結して成り、上記ロックバネの弾性力によって上記樋支持具本体を取付杆に圧接して固定し、上記樋支持具本体のスライドを規制する雨樋支持具において、上記樋支持具本体には長孔を形成しており、この長孔に常に嵌入する程度に膨出し、この長孔と摺接するように楕円状に形成された隆起ガイドを上記ロックバネに設けており、上記ロックバネの基板の適所には、上記隆起ガイドと同方向に突出した鋸刃状の係止部が形成してある一方、上記樋支持具本体の下面には、該係止部と係脱自在な鋸刃状の凹凸部が形成してあることを特徴とする。
【００２０】
請求項１では、樋支持具本体の長孔に常に嵌入する程度に膨出し、この長孔と摺接するように楕円状に形成された隆起ガイドをロックバネに設けているので、樋支持具本体をスムーズにスライドすることができ、且つ、ロックバネの回転を防止できる。
また請求項１では、ロックバネに鋸刃状の係止部を形成すると共に、樋支持具本体に鋸刃状の凹凸部を形成しているので、ロックバネを離せば、その弾性によって、両者が圧接して固定されると共に、係止部が凹凸部に係入し、樋支持具本体のスライドを確実に規制できる。
【００２１】
請求項２に係る雨樋支持具は、請求項１において、上記ロックバネは、上記隆起ガイドを設けた基板の両側又は片側に、この基板を湾曲させて弾性付勢する摘み片を形成している。
【００２２】
請求項２では、摘み片を形成しているので、この摘み片を摘むだけで、ロックバネを湾曲させることができ、簡単に操作できる。
【００２３】
（削除）
【００２４】
（削除）
【００２５】
（削除）
【００２６】
（削除）
【００２７】
【発明の実施の形態】
以下、本発明に係る雨樋支持具を図面に基づき説明する。
【００２８】
図１は、本発明に係る雨樋支持具の参考例を示す分解斜視図である。
【００２９】
この雨樋支持具Ａは、軒先等に固定される取付杆１と、雨樋Ｔを支持する樋掛止部１２、１２を設けた樋支持具本体２と、弾性付勢したロックバネ３とを連結軸４によって連結して成る。
【００３０】
以下、各部材について詳説する。
【００３１】
取付杆１は、軒先等に固定される取付部１１から前方に向けて足杆２１を延設し、その足杆２１の前方には、段落ち形成した連結片部３１を形成しており、この連結片部３１には、貫通孔４１を形成している。
【００３２】
樋支持具本体２は、長板状の基材２２の前、後に、図示のような雨樋Ｔを吊下げ支持するための樋掛止部１２、１２を各々形成している。
【００３３】
この樋掛止部１２、１２は、図例のものに限定されず、従来から使用される種々のタイプのものが採用できる。
【００３４】
また、基材２２の長手方向中央には、連結軸４が貫通する長孔３２を形成し、この長孔３２は、取付杆１の貫通孔４１と常に重合している。
【００３５】
ここでは、樋支持具本体２をステンレスなどの金属板で形成したものを示しているが、硬質の樹脂材等で形成することもでき、その材質は問わない。
【００３６】
また、基材２２の長孔３２に沿った長手方向の下面には、図のような波状の凹凸部４２を形成している。この凹凸部４２は、基材２２の下面に鋸刃状に形成することもできる。
【００３７】
なお、本実施例では、取付杆１に貫通孔４１を形成すると共に、これに重合する長孔３２を樋支持具本体２に形成しているが、これらを逆に形成して取付杆１側に長孔３２を形成し、樋支持具本体２に貫通孔４１を形成することもできる。
ロックバネ３は、バネ板を図のように折り曲げて形成され、基板１３の両側を下方に折り曲げて摘み片２３、２３を形成している。
【００３８】
この摘み片２３は、基板１３の片側にのみ形成することもできる。
【００３９】
また、基板１３の中央には、取付杆１の貫通孔４１と重合する位置に軸孔３３を形成し、この軸孔３３の周囲には、上方に向けて膨出した隆起ガイド４３を設けている。
【００４０】
隆起ガイド４３は、樋支持具本体２の長孔３２に常に嵌入する程度に膨出すると共に、長孔３２と摺接する楕円状に形成している。
【００４１】
但し、隆起ガイド４３は、図例の形状や数に限定されるものでなく、例えば、基板１３に突条（不図示）を形成し、この突条が長孔３２と摺接し且つ常に嵌入する程度の高さに形成されていればよく、その数は１以上あればよい。
【００４２】
また、基板１３両側の折り曲げ部分であって、樋支持具本体２の凹凸部４２に対応する位置には、基板１３を切り欠いて上方に立起させた係止部５３、５３を形成している。
【００４３】
この係止部５３、５３は、樋支持具本体２に形成した凹凸部４２と係脱自在に形成すれば良く、図示のような爪片状に形成する以外にも、単なる突条（不図示）や、隆起ガイド４３のように膨出させて形成することもできる。
【００４４】
これら取付杆１、樋支持具本体２、ロックバネ３は、各々の貫通孔４１、長孔３２、軸孔３３を重合させ、上方からリベット等の連結軸４を貫通したうえで、その下方にバネワッシャ５を嵌挿すると共に、連結軸４の下端をカシメ止めして連結されている。
【００４５】
図２は、本参考例に示した雨樋支持具の作用を示す要部の概略側面図であり、（ａ）、（ｃ）は、ロックバネがロックした状態の概略側面図、（ｂ）は、ロックバネがアンロックした状態の概略側面図を示している。
【００４６】
なお、図１と共通する部材には、共通の符号を付し、その説明は省略している。
【００４７】
図１で示した雨樋支持具Ａを施工するには、軒先等の適所に取付杆１の取付部１１をネジ、釘等で固定する。
【００４８】
このとき、ロックバネ３は、図２（ａ）で示すように、取付杆１と樋支持具本体２とが圧接したロック状態となっており、ロックバネ３の隆起ガイド４３は長孔３２に嵌入し、且つ、ロックバネ３の係止部５３、５３は凹凸部４２の凹部に係止している。
【００４９】
そして、ロックバネ３の摘み片２３、２３を摘んで図中矢印で示すように内側に押圧すれば、基板１３が上方に湾曲すると共に、その係止部５３、５３が樋支持具本体２の凹凸部４２から離脱し、樋支持具本体２を前、後にスライド可能にできる。
【００５０】
このとき、ロックバネ３の隆起ガイド４３も図２（ｂ）で示すように、下方に変位するが、樋支持具本体２の長孔３２から離脱することなく嵌入している。
【００５１】
そして、ロックバネ３をアンロック状態にして、樋支持具本体２を所望の位置に前、後にスライドさせるのであるが、樋支持具本体２のスライドに際して、その長孔３２がロックバネ３の隆起ガイド４３に摺接しているため、樋支持具本体２をスムーズにスライドすることができる。
【００５２】
このようにして所望の位置に樋支持具本体２をスライドさせた後、ロックバネ３の摘み片２３、２３を離せば、図２（ｃ）で示すように、その弾性力によって基板１３が復元すると共に、ロックバネ３の係止部５３、５３が樋支持具本体２の凹凸部４２の凹部に係止して、樋支持具本体２のスライドを確実に規制できる。
【００５３】
そして、図１で示すように、位置決め固定した樋支持具本体２の樋掛止部１２、１２に雨樋Ｔを掛止するのである。
【００５４】
なお、雨樋Ｔ、取付杆１、樋支持具本体２の形状は、図例の他にも種々のものがあり、これに限定するものではない。
【００５５】
図３は、本発明に係る雨樋支持具の実施例を示す分解斜視図である。
【００５６】
なお、図１、２と共通する部材には、共通の符号を付し、その説明を省略している。
【００５７】
この雨樋支持具Ａでは、図１、２で示したロックバネ３の構造を変えたものを示している。
すなわち、ロックバネ３は、図１、２と同様にバネ板を図のように折り曲げて形成され、基板１３の両側を下方に折り曲げて摘み片２３、２３を形成している。
【００５８】
只、図３で示す隆起ガイド４３は、その両側の摘み片２３、２３と直交する方向に形成して設けている。
【００５９】
また、基板１３を立ち上げて形成した係止部５３、５３の上端を鋸刃状に形成して、係止力を高めている。
【００６０】
このように形成したロックバネ３でも、図１、２と同様の作用、効果を得ることができる。
【００６１】
図４は、本発明に係る雨樋支持具の参考例を示す分解斜視図である。
【００６２】
なお、図１〜３と共通する部材には、共通の符号を付し、その説明を省略している。
【００６３】
この雨樋支持具Ａでは、取付杆１の先端両側を下方に延出し、雨樋Ｔを支持する樋掛止部１２、１２を設けた樋支持具本体２と、弾性付勢したロックバネ３とを連結軸４によって連結して成る、樋支持具本体２の下面に形成した凹凸部４２を、長孔３２の側壁に、長手方向に連続して形成すると共に、この凹凸部４２と係脱自在な係止部５３をロックバネ３に設けた構造にしている。
【００６４】
このような構造の雨樋支持具Ａによっても、上記同様の作用、効果を得ることができると共に、ロックバネ３の係止部５３が樋支持具本体２の凹凸部４２に嵌入して、樋支持具本体２のスライドをより確実に規制できる。
【００６５】
図５は、本発明に係る雨樋支持具の参考例を示す分解斜視図である。
【００６６】
なお、図１〜４と共通する部材には、共通の符号を付し、その説明を省略している。
【００６７】
この雨樋支持具Ａは、取付杆１、樋支持具本体２、ロックバネ３を連結する連結軸４の構造を変えたものを示している。
【００６８】
すなわち、取付杆１の貫通孔４１を、連結片部３１の両側から下方に延設した片部３１ａ、３１ａに形成すると共に、ロックバネ３の摘み片２３、２３と直交する両側に取付け片２３ａ、２３ａを形成し、この取付け片２３ａ、２３ａに軸孔３３を形成して取付杆１、樋支持具本体２、ロックバネ３を連結している。
【００６９】
このような構造の雨樋支持具Ａによっても、上記同様の作用、効果を得ることができる。
【００７０】
【発明の効果】
本発明によれば、次のような効果がある。
【００７１】
請求項１に係る雨樋支持具によれば、樋支持具本体の長孔に常に嵌入する程度に膨出し、この長孔と摺接するように楕円状に形成された隆起ガイドをロックバネに設けているので、樋支持具本体をスムーズにスライドすることができ、且つ、ロックバネの回転を防止できる。
また、請求項１に係る雨樋支持具によれば、ロックバネに鋸刃状の係止部を形成すると共に、樋支持具本体に鋸刃状の凹凸部を形成しているので、ロックバネを離せば、その弾性によって、両者が圧接して固定されると共に、係止部が凹凸部に係入し、樋支持具本体のスライドを確実に規制できる。
【００７２】
請求項２に係る雨樋支持具によれば、摘み片を形成しているので、この摘み片を摘むだけで、ロックバネを湾曲させることができ、簡単に操作できる。
【００７３】
（削除）
【００７４】
（削除）
【図面の簡単な説明】
【図 １】本発明に係る雨樋支持具の参考例を示す分解斜視図
【図 ２】本参考例に示した雨樋支持具の作用を示す要部の概略側面図
【図 ３】本発明に係る雨樋支持具の実施例を示す分解斜視図
【図 ４】本発明に係る雨樋支持具の参考例を示す分解斜視図
【図 ５】本発明に係る雨樋支持具の参考例を示す分解斜視図
【図 ６】従来の雨樋支持具を示す分解斜視図
【符号の説明】
Ａ      雨樋支持具
Ｔ      雨樋
１      取付杆
１２    樋掛止部
２      樋支持具本体
３２    長孔
４２    凹凸部
３      ロックバネ
２３    摘み片
４３    隆起ガイド
５３    係止部
４      連結軸
【図１】
0004625578.tif 000002
【図２】
0004625578.tif 000003
【図３】
0004625578.tif 000004
【図４】
0004625578.tif 000005
【図５】
0004625578.tif 000006
【図６】
0004625578.tif 000007